【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記非等ピッチの配線パターンにおけるモアレの評価値は、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおけるモアレの評価値より小さく、
前記モアレ評価値は、前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とから算出されるモアレの各周波数成分に、人間の視覚応答特性を作用させて得られたモアレの各周波数成分の強度の総和である導電性部材。
【請求項２】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
前記メッシュ状の配線パターンは、前記表示ユニットの画素配列パターンに重畳されており、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記２本以上の前記金属細線が連続配置された配線層において、所定本数の金属細線の繰返しピッチが等ピッチであり、前記所定本数のそれぞれの金属細線のピッチの内、少なくとも２つのピッチが異なる、非等ピッチの配線パターンであり、
前記非等ピッチの配線パターンにおけるモアレの評価値は、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおけるモアレの評価値より小さく、
前記モアレ評価値は、前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とから算出されるモアレの各周波数成分に、人間の視覚応答特性を作用させて得られたモアレの各周波数成分の強度の総和である導電性部材。
【請求項３】
前記視覚応答特性は、下記式（１）で表される視覚伝達関数ＶＴＦで与えられる請求項１、又は２に記載の導電性部材。
ｋ≦ｌｏｇ（０．２３８／０．１３８）／０．１
ＶＴＦ＝１
ｋ＞ｌｏｇ（０．２３８／０．１３８）／０．１
ＶＴＦ＝５．０５ｅ−０．１３８ｋ（１−ｅ０．１ｋ）  …（１）
ｋ＝πｄｕ／１８０
ここで、ｌｏｇは自然対数であり、ｋは、立体角で定義される空間周波数（ｃｙｃｌｅ／ｄｅｇ）であり、ｕは、長さで定義される空間周波数（ｃｙｃｌｅ／ｍｍ）であり、ｄは、１００ｍｍ〜１０００ｍｍの範囲内の観察距離（ｍｍ）である。
【請求項４】
前記視覚応答特性の観察距離ｄは、３００ｍｍ〜８００ｍｍの何れかの距離である請求項３に記載の導電性部材。
【請求項５】
前記モアレ評価値をＩとする時、前記モアレ評価値Ｉは、前記モアレの各周波数成分の強度から下記式（２）により導出されるものである請求項１〜４のいずれか１項に記載の導電性部材。
Ｉ＝（Σ（Ｒ［ｉ］）ｘ）１／ｘ                …（２）
ここで、Ｒ［ｉ］はモアレのi番目の周波数成分の強度であり、次数ｘは、１〜４の何れかの値である。
【請求項６】
前記次数ｘは、２である請求項５に記載の導電性部材。
【請求項７】
前記モアレ評価値は、前記モアレの各周波数成分の強度の非線形和により導出されるものである請求項１〜６のいずれか１項に記載の導電性部材。
【請求項８】
前記モアレ評価値は、前記画素配列パターンの周波数０と前記配線パターンの各周波数成分とから算出される前記モアレの周波数成分をも含む請求項１〜７のいずれか１項に記載の導電性部材。
【請求項９】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記非等ピッチの配線パターンにおいてモアレに寄与が最も大きい前記モアレの周波数成分の強度は、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の強度より小さい導電性部材。
【請求項１０】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記非等ピッチの配線パターンにおいてモアレに寄与が最も大きい前記モアレの周波数成分の周波数は、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の周波数より大きい導電性部材。
【請求項１１】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の周波数以下において、前記非等ピッチの配線パターンの前記モアレ評価値は、前記等ピッチの配線パターンの前記モアレ評価値より小さく、
前記モアレ評価値は、前記非等ピッチの配線パターン、及び前記等ピッチの配線パターンの透過率の２次元フーリエ周波数分布の各周波数成分と、前記画素配列パターンの輝度、又は透過率の２次元フーリエ周波数分布の各周波数成分とから算出されるモアレの各周波数成分に、人間の視覚応答特性を作用させて得られたモアレの各周波数成分の強度の総和である導電性部材。
【請求項１２】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の周波数において、前記非等ピッチの配線パターンの前記モアレの周波数成分の強度は、前記等ピッチの配線パターンの前記モアレの周波数成分の強度より小さい導電性部材。
【請求項１３】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記非等ピッチの配線パターンにおいてモアレに寄与が最も大きい前記モアレの周波数成分の原因となる前記非等ピッチの配線パターンの周波数成分の強度は、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の原因となる前記等ピッチの配線パターンの周波数成分の強度より小さい導電性部材。
【請求項１４】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の原因となる前記等ピッチの配線パターンの周波数成分の周波数において、前記非等ピッチの配線パターンの周波数成分の強度は、前記等ピッチの配線パターンの周波数成分の強度より小さい導電性部材。
【請求項１５】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記非等ピッチの配線パターンにおいて前記所定本数をｎとし、それぞれの前記金属細線を金属細線１、金属細線２、・・・、及び金属細線ｎとした場合に、前記金属細線１からのそれぞれの金属細線のピッチｐが少なくとも下記の条件１と条件２との何れか一方を満たす導電性部材。
条件１：ピッチｐが（Ｎ−ｄ）＊Ｔ＜ｐ＜（Ｎ＋ｄ）＊Ｔの区間に属する金属細線の本数と、ピッチｐが（Ｎ＋０．５−ｄ）＊Ｔ＜ｐ＜（Ｎ＋０．５＋ｄ）＊Ｔの区間に属する金属細線の本数との差分が１本以下である。
条件２：ピッチｐが（Ｎ＋０．２５−ｄ）＊Ｔ＜ｐ＜（Ｎ＋０．２５＋ｄ）＊Ｔの区間に属する金属細線の本数と、ピッチｐが（Ｎ＋０．７５−ｄ）＊Ｔ＜ｐ＜（Ｎ＋０．７５＋ｄ）＊Ｔの区間に属する金属細線の本数との差分が１本以下である。
ここで、Ｔは、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおいてモアレに寄与が最も大きい前記モアレの周波数成分の原因となる前記等ピッチの配線パターンの周波数成分の周波数をＦとして１／Ｆで与えられる周期であり、Ｎは、０、又は正の整数であって、かつ前記等ピッチの配線パターンのピッチをＰＡとして（ｎ＊ＰＡ／Ｔ）以下の整数であり、ｄは、０．０２５〜０．２５の範囲の何れかの値である。
【請求項１６】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記非等ピッチの配線パターンにおいて前記所定本数をｎとし、それぞれの前記金属細線を金属細線１、金属細線２、・・・、及び金属細線ｎとした場合に、前記金属細線１からのそれぞれの金属細線のピッチｐが少なくとも下記の条件１と条件２との何れか一方を満たす導電性部材。
条件１：ピッチｐが（Ｎ−ｄ）＊Ｔ＜ｐ＜（Ｎ＋ｄ）＊Ｔの区間に属する金属細線の本数と、ピッチｐが（Ｎ＋０．５−ｄ）＊Ｔ＜ｐ＜（Ｎ＋０．５＋ｄ）＊Ｔの区間に属する金属細線の本数との差分が１本以下である。
条件２：ピッチｐが（Ｎ＋０．２５−ｄ）＊Ｔ＜ｐ＜（Ｎ＋０．２５＋ｄ）＊Ｔの区間に属する金属細線の本数と、ピッチｐが（Ｎ＋０．７５−ｄ）＊Ｔ＜ｐ＜（Ｎ＋０．７５＋ｄ）＊Ｔの区間に属する金属細線の本数との差分が１本以下である。
ここで、Ｔは、前記金属細線１、金属細線２、・・・、及び金属細線ｎのいずれかの金属細線のみから成る配線パターンにおいてモアレに寄与が最も大きい前記モアレの周波数成分の原因となる前記金属細線の配線パターンの周波数成分の周波数をＦとして１／Ｆで与えられる周期であり、Ｎは、０、又は正の整数であって、かつ複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンのピッチをＰＡとして（ｎ＊ＰＡ／Ｔ）以下の整数であり、ｄは、０．０２５〜０．２５の範囲の何れかの値である。
【請求項１７】
前記画素配列パターンは、ブラックマトリックスパターンである請求項１〜１６のいずれか１項に記載の導電性部材。
【請求項１８】
表示装置の表示ユニット上に設置され、複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記メッシュ状の配線パターンは、前記表示ユニットの画素配列パターンに重畳されており、
前記配線部は、２方向以上の前記線配線の内、少なくとも１方向の線配線における平均のピッチが、他の少なくとも１方向の線配線における平均のピッチと異なる配線パターンを有する導電性部材。
【請求項１９】
２方向以上の前記線配線の内、平均のピッチが最も狭い方向の線配線の配線パターンが前記非等ピッチの配線パターンである請求項１８に記載の導電性部材。
【請求項２０】
複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されて、前記少なくとも１層の前記配線層において、所定本数の前記金属細線の繰返しピッチが等ピッチであり、前記所定本数のそれぞれの金属細線のピッチの内、少なくとも２つのピッチが異なる、非等ピッチの配線パターンであり、且つ、
前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンである導電性部材。
【請求項２１】
複数の金属細線からなる配線部を有する導電性部材であって、
前記配線部は、絶縁された２層以上の配線層と、前記導電性部材の正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、各前記配線層に２本以上の前記金属細線が連続配置されており、且つ、
前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンである導電性部材。
【請求項２２】
前記２方向以上の全ての方向の前記線配線は、前記複数の金属細線が全て直線で構成される請求項１〜２１のいずれか１項に記載の導電性部材。
【請求項２３】
前記所定本数は、１６本以下である請求項１〜２２のいずれか１項に記載の導電性部材。
【請求項２４】
前記配線部は、前記線配線を２方向に重畳した前記メッシュ状の配線パターンを有し、且つ、全ての前記複数の金属細線が直線である請求項１〜２３のいずれか１項に記載の導電性部材。
【請求項２５】
前記線配線を２方向に重畳した前記メッシュ状の配線パターンは、左右非対称な配線パターンである請求項２４に記載の導電性部材。
【請求項２６】
前記２方向の前記線配線の成す角度は、４０°〜１４０°である請求項２４、又は２５に記載の導電性部材。
【請求項２７】
前記２方向以上に重畳した前記線配線の内、少なくとも１方向の線配線における平均のピッチは、３０μｍ〜６００μｍである請求項１〜２６のいずれか１項に記載の導電性部材。
【請求項２８】
前記平均のピッチは、３００μｍ以下である請求項２７に記載の導電性部材。
【請求項２９】
透明基体と、複数の金属細線からなる配線部と、を有する導電性フィルムであって、
前記配線部は、絶縁された２層以上の配線層と、前記導電性フィルムの正面観察時において、１方向において平行に配列される複数の金属細線からなる線配線を２方向以上に重畳したメッシュ状の配線パターンと、を有し、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記導電性フィルムの正面観察時において、所定本数の前記金属細線の繰返しピッチが等ピッチであり、前記所定本数のそれぞれの金属細線のピッチの内、少なくとも２つのピッチが異なる、非等ピッチの配線パターンである導電性フィルム。
【請求項３０】
表示装置の表示ユニット上に設置され、透明基体と、複数の金属細線からなる配線部と、を有する導電性フィルムであって、
前記配線部は、絶縁された２層以上の配線層と、前記導電性フィルムの正面観察時において、１方向において平行に配列される複数の金属細線からなる線配線を２方向以上に重畳したメッシュ状の配線パターンと、を有し、
前記メッシュ状の配線パターンは、前記表示ユニットの画素配列パターンに重畳されており、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記２本以上の前記金属細線が連続配置された配線層において、所定本数の金属細線の繰返しピッチが等ピッチであり、前記所定本数のそれぞれの金属細線のピッチの内、少なくとも２つのピッチが異なる、非等ピッチの配線パターンであり、
前記非等ピッチの配線パターンにおけるモアレの評価値は、複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンにおけるモアレの評価値より小さく、
前記モアレ評価値は、前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とから算出されるモアレの各周波数成分に、人間の視覚応答特性を作用させて得られたモアレの各周波数成分の強度の総和である導電性フィルム。
【請求項３１】
所定の画素配列パターンで配列されてなる表示ユニットと、
この表示ユニットの上に設置される、請求項１〜２８のいずれか１項に記載の導電性部材、もしくは請求項２９、又は３０に記載の導電性フィルムと、を備える表示装置。
【請求項３２】
前記表示ユニットは、有機ＥＬディスプレイ（ＯＥＬＤ）であり、赤色（Ｒ）、緑色（Ｇ）、及び青色（Ｂ）の内、少なくとも２つの色について前記画素配列パターンが異なる請求項３１に記載の表示装置。
【請求項３３】
請求項１〜２８のいずれか１項に記載の導電性部材、もしくは請求項２９、又は３０に記載の導電性フィルムを用いたタッチパネル。
【請求項３４】
表示装置の表示ユニット上に設置され、複数の金属細線からなる配線部を有し、前記配線部は、絶縁された２層以上の配線層と、正面観察時において、１方向において平行に配列される複数の金属細線からなる線配線を２方向以上に重畳したメッシュ状の配線パターンと、を有する導電性部材の配線パターンの作製方法であって、
前記メッシュ状の配線パターンは、前記表示ユニットの画素配列パターンに重畳されており、
少なくとも１方向の前記線配線は、前記複数の金属細線が直線である直線配線であり、
少なくとも１方向の前記直線配線は、前記２層以上の配線層の内、少なくとも１層の配線層に２本以上の前記金属細線が連続配置されており、且つ、前記導電性部材の正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記画素配列パターンの輝度又は透過率を取得し、
前記非等ピッチの配線パターン、及び複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンについて、それぞれ前記配線パターンの透過率を取得し、
前記非等ピッチの配線パターン、及び前記等ピッチの配線パターンについて、それぞれ前記配線パターンの透過率の２次元フーリエ周波数分布を導出し、
前記画素配列パターンの輝度又は透過率の２次元フーリエ周波数分布を導出し、
前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とからモアレの各周波数成分を算出し、
こうして算出された前記モアレの各周波数成分に人間の視覚応答特性を作用させて、各周波数成分の強度の総和であるモアレ評価値を求め、
こうして求められた前記非等ピッチの配線パターンにおけるモアレ評価値が、前記等ピッチの配線パターンにおけるモアレ評価値より小さい、前記非等ピッチの配線パターンを作製する導電性部材の配線パターンの作製方法。
【請求項３５】
表示装置の表示ユニット上に設置され、複数の金属細線からなる配線部を有し、前記配線部は、絶縁された２層以上の配線層と、正面観察時において、１方向において平行に配列される複数の金属細線からなる線配線を２方向以上に重畳したメッシュ状の配線パターンと、を有する導電性部材の配線パターンの作製方法であって、
前記メッシュ状の配線パターンは、前記表示ユニットの画素配列パターンに重畳されており、
少なくとも１方向の前記線配線は、前記複数の金属細線が直線である直線配線であり、
少なくとも１方向の前記直線配線は、前記２層以上の配線層の内、少なくとも１層の前記配線層に２本以上の前記金属細線が連続配置されており、且つ、前記２本以上の前記金属細線が連続配置された配線層において、所定本数の前記金属細線の繰返しピッチが等ピッチであり、前記所定本数のそれぞれの金属細線のピッチの内、少なくとも２つのピッチが異なる、非等ピッチの配線パターンであり、
前記画素配列パターンの輝度又は透過率を取得し、
前記非等ピッチの配線パターン、及び複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンについて、それぞれ前記配線パターンの透過率を取得し、
前記非等ピッチの配線パターン、及び前記等ピッチの配線パターンについて、それぞれ前記配線パターンの透過率の２次元フーリエ周波数分布を導出し、
前記画素配列パターンの輝度又は透過率の２次元フーリエ周波数分布を導出し、
前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とからモアレの各周波数成分を算出し、
こうして算出された前記モアレの各周波数成分に人間の視覚応答特性を作用させて、各周波数成分の強度の総和であるモアレ評価値を求め、
こうして求められた前記非等ピッチの配線パターンにおけるモアレ評価値が、前記等ピッチの配線パターンにおけるモアレ評価値より小さい、前記非等ピッチの配線パターンを作製する導電性部材の配線パターンの作製方法。
【請求項３６】
表示装置の表示ユニット上に設置され、透明基体と、複数の金属細線からなる配線部と、を有し、前記配線部は、絶縁された２層以上の配線層と、正面観察時において、１方向において平行に配列される複数の金属細線からなる線配線を２方向以上に重畳したメッシュ状の配線パターンと、を有する導電性フィルムの配線パターンの作製方法であって、
前記メッシュ状の配線パターンは、前記表示ユニットの画素配列パターンに重畳されており、
少なくとも１方向の前記線配線は、前記複数の金属細線が直線である直線配線であり、
少なくとも１方向の前記直線配線は、前記２層以上の配線層の内、少なくとも１層の配線層に２本以上の前記金属細線が連続配置されており、且つ、前記導電性フィルムの正面観察時において、所定本数の前記金属細線の繰返しピッチが等ピッチであり、前記所定本数のそれぞれの金属細線のピッチの内、少なくとも２つのピッチが異なる、非等ピッチの配線パターンであり、
前記画素配列パターンの輝度又は透過率を取得し、
前記非等ピッチの配線パターン、及び複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンについて、それぞれ前記配線パターンの透過率を取得し、
前記非等ピッチの配線パターン、及び前記等ピッチの配線パターンについて、それぞれ前記配線パターンの透過率の２次元フーリエ周波数分布を導出し、
前記画素配列パターンの輝度又は透過率の２次元フーリエ周波数分布を導出し、
前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とからモアレの各周波数成分を算出し、
こうして算出された前記モアレの各周波数成分に人間の視覚応答特性を作用させて、各周波数成分の強度の総和であるモアレ評価値を求め、
こうして求められた前記非等ピッチの配線パターンにおけるモアレ評価値が、前記等ピッチの配線パターンにおけるモアレ評価値より小さい、前記非等ピッチの配線パターンを作製する導電性フィルムの配線パターンの作製方法。
【請求項３７】
表示装置の表示ユニット上に設置され、透明基体と、複数の金属細線からなる配線部と、を有し、前記配線部は、絶縁された２層以上の配線層と、正面観察時において、１方向において平行に配列される複数の金属細線からなる線配線を２方向以上に重畳したメッシュ状の配線パターンと、を有する導電性フィルムの配線パターンの作製方法であって、
前記メッシュ状の配線パターンは、前記表示ユニットの画素配列パターンに重畳されており、
少なくとも１方向の前記線配線は、前記複数の金属細線が直線である直線配線であり、
少なくとも１方向の前記直線配線は、前記２層以上の配線層の内、少なくとも１層の配線層に２本以上の前記金属細線が連続配置されており、且つ、前記２本以上の前記金属細線が連続配置された配線層において、所定本数の前記金属細線の繰返しピッチが等ピッチであり、前記所定本数のそれぞれの金属細線のピッチの内、少なくとも２つのピッチが異なる、非等ピッチの配線パターンであり、
前記画素配列パターンの輝度又は透過率を取得し、
前記非等ピッチの配線パターン、及び複数の直線である金属細線で構成され、前記所定本数の前記金属細線の繰返しピッチが前記非等ピッチの配線パターンと等しく、且つ、それぞれの前記金属細線のピッチが等しい、等ピッチの配線パターンについて、それぞれ前記配線パターンの透過率を取得し、
前記非等ピッチの配線パターン、及び前記等ピッチの配線パターンについて、それぞれ前記配線パターンの透過率の２次元フーリエ周波数分布を導出し、
前記画素配列パターンの輝度又は透過率の２次元フーリエ周波数分布を導出し、
前記非等ピッチの配線パターン、及び前記等ピッチの配線パターンの透過率の２次元フーリエ周波数分布の各周波数成分と、前記画素配列パターンの輝度又は透過率の２次元フーリエ周波数分布の各周波数成分とからモアレの各周波数成分を算出し、
こうして算出された前記モアレの各周波数成分に人間の視覚応答特性を作用させて、各周波数成分の強度の総和であるモアレ評価値を求め、
こうして求められた前記非等ピッチの配線パターンにおけるモアレ評価値が、前記等ピッチの配線パターンにおけるモアレ評価値より小さい、前記非等ピッチの配線パターンを作製する導電性フィルムの配線パターンの作製方法。